(57)【特許請求の範囲】
【請求項１】
ボディと、リールと、爪車と、リングと、上部キャップを備え、
ボディは、略円筒形で上側が開口していて、底面中心に柱部を設けてあり、
リールは、コードを巻き付けるものであって、略円環状で、柱部に外挿しかつボディ内に回動可能に納めてあり、
爪車は、略円環状で、柱部に外挿しかつリールの内側に納めてあって、リールと同方向に回転するように係合しており、
リングは、リールの上側に取り付けてあって、ボディの上端部に覆い被さっており、
上部キャップは、略円盤形で、リングの上側から柱部の上端に固定してあり、
上部キャップの下面には、柱部の周囲に逆止突起を列設してあり、
爪車は、外周部に送り爪を有しており、柱部に外挿したコイルバネにより上部キャップに向けて押圧してあって、爪車の送り爪がコードの繰出方向に向けて逆止突起に係止しており、
外部からの衝撃により、爪車がコイルバネの付勢力に抗して落下すると、送り爪と逆止突起の係止が解除され、リールがコードの繰出方向に回転可能となるものであり、
リングは、リールに対して所定角度のみ回動可能であって、上部キャップの逆止突起の外周側位置に、解除突起を設けてあり、
リングをコードの巻取方向に回転させると、コイルバネの付勢力に抗して爪車の送り爪が逆止突起を乗り越え、リールがコードの巻取方向に回転するものであり、
リングをコードの繰出方向に回転させると、リングの解除突起が爪車の送り爪に当接し、コイルバネの付勢力に抗して爪車を下方に押し込むことで、送り爪と逆止突起の係止が解除され、リールがコードの繰出方向に回転可能となるものであることを特徴とするコード式草刈機。
【発明の詳細な説明】
【技術分野】
【０００１】
本発明は、樹脂製のコードを高速回転させることにより草を刈るコード式草刈機に関する。
【背景技術】
【０００２】
金属刃に替わって樹脂製のコードを高速回転させるコード式草刈機においては、コードがリールによって巻き取られており、コードが摩耗や損傷により短くなった時には、リールを回転させてコードを繰り出し、所定の長さにする。ここで、コードを繰り出すための機構として、特許文献１に示すような叩き出し方式のものがあった。これは、草刈機の作動中に本体を地面に叩き付けることで、リールに係合する爪車がコイルバネの付勢力に抗して一コマだけ回転して、所定長さだけコードが繰り出されるもので、コードの巻き取りはリールを手で回転させて行うものである。また、別の機構として、特許文献２に示すような手動回転方式のものがあった。これは、草刈機の停止中に、リールを手で回転させてコードの繰り出しおよび巻き取りを行うものである。
【先行技術文献】
【特許文献】
【０００３】
【特許文献１】特開平７−３１２４９号公報
【特許文献２】特開平９−２３８５３７号公報
【発明の概要】
【発明が解決しようとする課題】
【０００４】
特許文献１の叩き出し方式においては、草刈り作業中でも、草刈機を停止することなくコードを繰り出せるが、手動でリールを回転させてコードを繰り出すことができないので、草刈機の内部でコードが絡まった場合には、本体を分解して修正しなければならなかった。一方、特許文献２の手動回転方式においては、手動で自在にコードの繰り出しおよび巻き取りが可能であり、コードが絡まった場合にも修正しやすいが、草刈り作業中にコードを繰り出すためには草刈機を停止しなければならず、作業効率が悪くなっていた。
【０００５】
本発明は、上記事情を鑑みたものであり、コードの繰り出しを、叩き出しとリールの手動回転の両方式により行うことができるコード式草刈機を提供することを目的とする。
【課題を解決するための手段】
【０００６】
本発明は、ボディと、リールと、爪車と、リングと、上部キャップを備え、ボディは、略円筒形で上側が開口していて、底面中心に柱部を設けてあり、リールは、コードを巻き付けるものであって、略円環状で、柱部に外挿しかつボディ内に回動可能に納めてあり、爪車は、略円環状で、柱部に外挿しかつリールの内側に納めてあって、リールと同方向に回転するように係合しており、リングは、リールの上側に取り付けてあって、ボディの上端部に覆い被さっており、上部キャップは、略円盤形で、リングの上側から柱部の上端に固定してあり、上部キャップの下面には、柱部の周囲に逆止突起を列設してあり、爪車は、外周部に送り爪を有しており、柱部に外挿したコイルバネにより上部キャップに向けて押圧してあって、爪車の送り爪がコードの繰出方向に向けて逆止突起に係止しており、外部からの衝撃により、爪車がコイルバネの付勢力に抗して落下すると、送り爪と逆止突起の係止が解除され、リールがコードの繰出方向に回転可能となるものであり、リングは、リールに対して所定角度のみ回動可能であって、上部キャップの逆止突起の外周側位置に、解除突起を設けてあり、リングをコードの巻取方向に回転させると、コイルバネの付勢力に抗して爪車の送り爪が逆止突起を乗り越え、リールがコードの巻取方向に回転するものであり、リングをコードの繰出方向に回転させると、リングの解除突起が爪車の送り爪に当接し、コイルバネの付勢力に抗して爪車を下方に押し込むことで、送り爪と逆止突起の係止が解除され、リールがコードの繰出方向に回転可能となるものであることを特徴とする。
【発明の効果】
【０００７】
本発明によれば、コードの繰り出しを、叩き出しとリールの手動回転の両方式により行うことができる。すなわち、草刈機の作動中に本体を地面に叩き付けることで、リールがコードの繰出方向に回転可能となり、遠心力によりコードが繰り出されるので、草刈り作業を中断する必要がない。そして、リングを巻取方向に回転させることで、リールが回転して手動でコードを巻き取ることができ、さらにリングを繰出方向に回転させることで、リールがコードの繰出方向に回転可能となり、コードを手で引っ張ることでリールが回転してコードを繰り出すことができるので、コードが絡まった場合にも容易に修正できる。
【図面の簡単な説明】
【０００８】
【図１】（ａ）は、草刈機の本体の斜視図であり（上部キャップを外した状態）、（ｂ）は、（ａ）の上面部分の拡大図である。
【図２】草刈機の本体の斜視図である（上部キャップを取り付けた状態）。
【図３】本体の平面図である。
【図４】本体の側面図である。
【図５】（ａ）は、図３のＡ−Ａ線断面図であり、（ｂ）は、（ａ）において柱部に外挿した部品を切断せずに描いたものである。
【図６】本体の分解斜視図である。
【図７】（ａ）〜（ｃ）は、図３のＢ−Ｂ線断面図であり、叩き出しによる繰り出しの説明図である。
【図８】図３のＣ−Ｃ線断面図であり、手動回転による巻き取りの説明図である。
【図９】（ａ）、（ｂ）は、図３のＣ−Ｃ線断面図であり、手動回転による繰り出しの説明図である。
【発明を実施するための形態】
【０００９】
本発明のコード式草刈機の具体的な構成について、各図面に基づいて説明する。このコード式草刈機は、図４に示すように、柄２００の先端に本体１００を取り付けたものである。そして、図１〜図６に示すように、本体１００は、ボディ１と、リール２と、爪車３と、リング４と、上部キャップ５と、ガイド盤７と、下部キャップ８を備える。
【００１０】
ボディ１は、略円筒形で上側が開口していて、下端部の外周側には鍔部１３を形成してあり、底面中心に、略円柱形状の柱部１１を設けてある。そして、底面の柱部１１の周囲には、柱部１１と隙間を隔てた円周上に、略二等辺三角形の山形突起１２を、間隔をおきながら列設してある。また、ガイド盤７は、略円盤状で上面に二つの略円柱形状部を形成してあり、その間の隙間が、コード９の先端が引き出されるアイレット７１となっており、ボディ１の下面にワッシャ７２を介して、二本のボルト７３によりボルト止めしてある。さらに、下部キャップ８は、略椀形で金属製であり、ガイド盤７の下面に一本のボルト８１によりボルト止めしてある。なお、ボディ１の側面には、コード９を通す引出口１４を形成してあり、また、鍔部１３の引出口１４の近傍に、上下に貫通する抜孔１５を形成してある。
【００１１】
リール２は、コード９の基端部を固定して巻き付けるものであって、略円環状で、上端部と下端部に、外周側に突出する鍔を設けてある。コード９は時計周りに巻き付けてあり、リール２を反時計回りに回転させるとコード９が巻き取られ、時計回りに回転させるとコード９が繰り出されることになる（以下、反時計回り方向を巻取方向α、時計回り方向を繰出方向βとする）。また、内周側面の上端部には、四箇所に係合突起２１を設けてある。さらに、上面の内周側縁部には、円周上に立設壁面２２を設けてあり、この立設壁面２２に四箇所の切欠部２３を設けてある。切欠部２３は、巻取方向α側が垂直面２３ａとなっており、繰出方向β側が傾斜面２３ｂとなっていて、各切欠部２３の傾斜面２３ｂが、隣接する係合突起２１同士の中間に位置している。このように構成したリール２を、柱部１１に外挿し、かつボディ１内に回動可能に納めてある。リール２に巻き付けられたコード９は、先端が引出口１４から引き出され、抜孔１５を通ってボディ１の下側に回り込み、アイレット７１を通って本体１００から外周側に突出している。
【００１２】
爪車３は、略円環状で、上端の外周部に四つの送り爪３１を設けてある。送り爪３１は、上側の巻取方向α側に傾斜面３１ａを有し、繰出方向β側に垂直面３１ｂを有している。また、下側には垂下片３２を有していて、垂下片３２の下端は、巻取方向α側、繰出方向β側の両側が傾斜していて尖った形状となっている。このように構成した爪車３は、柱部１１に外挿し、かつリール２の内側に納めてあるが、この際、柱部１１には、まず下から順にベアリング６１、ワッシャ状のバネ受け６２およびコイルバネ６を外挿する。これらは何れも柱部１１と山形突起１２の間に納まる。そして、その上から爪車３を外挿するが、コイルバネ６は送り爪３１の垂下片３２の内側に納まり、送り爪３１の下端は山形突起１２に対向する。また、リール２の内周側面に設けた係合突起２１が、爪車３の隣接する送り爪３１同士の間に嵌まる。よって、爪車３は、リール２と同方向に回転するように係合しており（送り爪３１と係合突起２１の間にクリアランスがあるので、１０度程度は相互に回転する）、上下方向には可動な状態となる。そして、コイルバネ６がベアリング６１により支持されているので、爪車３およびリール２はボディ１内で回動自在であって、かつ爪車３は上向きに付勢される。
【００１３】
リング４は、略円環状で、リール２の上側に取り付けてあって、リール２の立設壁面２２が内周側に納まり、ボディの上端部に覆い被さる形状となっている。外周側面には凹凸を形成してあり、手で回転させやすくなっている。また、内周側面の上端部には、四箇所に解除突起４１を設けてある。解除突起４１は、リール２の立設壁面２２の切欠部２３に嵌まるものであり、切欠部２３の形状に対応して、巻取方向α側が垂直面４１ａとなっており、繰出方向β側が傾斜面４１ｂとなっている。そして、解除突起４１は切欠部２３よりも円周方向に短くなっていて隙間が形成されており、この隙間の分（所定角度）だけ、リール２に対してリング４が回動可能となっている。
【００１４】
上部キャップ５は、略円盤形で、リング４の上側から柱部１１の上端に固定してあり、ボディ１と一体になっている。図５および図７に示すように、上部キャップ５の下面には、山形突起１２に対向して、円周上に、略直角三角形の逆止突起５１を、間隔をおきながら列設してある。ただし、逆止突起５１は山形突起１２に対して内周側にずれた位置に設けてあり、逆止突起５１の外周側に、リング４の解除突起４１が位置する。逆止突起５１は、繰出方向β側が傾斜面５１ａとなっており、巻取方向α側が垂直面５１ｂとなっている。また、逆止突起５１は山形突起１２と同数だけ設けてあり、逆止突起５１の垂直面５１ｂが、隣接する山形突起１２の中間位置の直上に位置している。そして、このように構成した上部キャップ５に対して、爪車３をコイルバネ６により押圧してある。これにより、爪車３の送り爪３１の上端は、リング４の解除突起４１と上部キャップ５の逆止突起５１の両方に対向する。
【００１５】
続いて、このように構成した草刈機における、コード９の繰り出しおよび巻き取りについて説明する。コード９の繰り出しおよび巻き取りにはリール２を回転させる必要があるが、リール２は爪車３と回転方向に連動しており、爪車３は、送り爪３１が、上部キャップ５の逆止突起５１、ボディ１の山形突起１２およびリング４の解除突起４１と係合離隔することにより、回転が制御されている。よって、各場合における、爪車３と各突起の関係を示す。
【００１６】
まず、叩き出しによりコード９を繰り出す場合について説明する。通常時においては、爪車３は、コイルバネ６の付勢力により、上部キャップ５に押圧されており、図７（ａ）に示すように、爪車３の送り爪３１の垂直面３１ｂが逆止突起５１の垂直面５１ｂに当接し、送り爪３１が繰出方向βに向けて逆止突起５１に係止している。そして、送り爪３１の垂下片３２の下端部は、隣接する山形突起１２同士の間の谷間に対向している。この状態では、爪車３およびリール２は繰出方向βに回転することはできないので、草刈りのために本体１００を高速回転させても、コード９が勝手に繰り出されることはない。そして、コード９が摩耗や損傷により短くなった時には、草刈機を作動させたまま、本体１００の下部キャップ８を地面に叩き付ける。すると、その衝撃により、爪車３がコイルバネ６の付勢力に抗して落下する。これにより、図７（ｂ）に示すように、送り爪３１と逆止突起５１の係止が解除され、送り爪３１の垂下片３２の下端部が、山形突起１２同士の間の谷間に落ち込む。この際、本体１００が回転しておりコード９には遠心力が働いているから、コード９の引っ張り作用によりリール２および爪車３が繰出方向βに回転する。そして、回転に伴ってコイルバネ６の付勢力により爪車３が上昇し、図７（ｃ）に示すように、送り爪３１の上端の傾斜面３１ａが、逆止突起５１の傾斜面５１ａを滑って、さらに繰出方向βに回転し、送り爪３１の垂直面３１ｂが、繰出方向βに隣接する次の逆止突起５１の垂直面５１ｂに係止する。こうして、リール２および爪車３が、逆止突起５１の一コマ分だけ繰出方向βに回転し、コード９が所定長さだけ繰り出される。
【００１７】
次に、コード９を巻き取る場合について説明する。この場合、リング４を手で巻取方向αに回転させると、図８に示すように、リング４の解除突起４１の垂直面４１ａがリール２（一点鎖線）の切欠部２３の垂直面２３ａに当接して、リング４とリール２が一体となって回転し、さらに爪車３もリール２と同方向（巻取方向α）に回転する。すると、爪車３の送り爪３１の上端の傾斜面３１ａが、上部キャップ５（破線）の逆止突起５１の傾斜面５１ａを滑り、爪車３がコイルバネ６の付勢力に抗して押し下げられ、送り爪３１が逆止突起５１を乗り越える。なお、爪車３が押し下げられた時、送り爪３１の垂下片３２の下端部は、山形突起１２同士の間の谷間に落ち込むので、山形突起１２は回転の妨げにならない。よって、リング４、リール２および爪車３は巻取方向αに回転自在であり、リング４を回転させた分だけ、コード９が巻き取られる。
【００１８】
次に、手動回転によりコード９を繰り出す場合について説明する。この場合、草刈機の停止中において、リング４を手で繰出方向βに回転させると、図９（ａ）に示すように、リング４の解除突起４１の傾斜面４１ｂが爪車３の送り爪３１の上端の傾斜面３１ａに当接して、コイルバネ６の付勢力に抗して爪車３を押し下げ、かつ傾斜面４１ｂがリール２の切欠部２３の傾斜面２３ｂに当接する。爪車３の状態は、本体１００を地面に叩き付けてその衝撃により落下した瞬間の状態と同じであり、送り爪３１と逆止突起５１の係止が解除され、送り爪３１の垂下片３２の下端部が、山形突起１２同士の間の谷間に落ち込んでいる。この状態で、コード９の端部を掴んで引っ張ると、リール２および爪車３が繰出方向βに回転する。そして、回転に伴ってコイルバネ６の付勢力により爪車３が上昇し、図９（ｂ）に示すように、送り爪３１の上端の傾斜面３１ａが、逆止突起５１の傾斜面５１ａを滑って、さらに繰出方向βに回転し、送り爪３１の垂直面３１ｂが、繰出方向βに隣接する次の逆止突起５１の垂直面５１ｂに係止する。この際、爪車３の送り爪３１の上端の傾斜面３１ａがリング４の解除突起４１の傾斜面４１ｂを押して、リング４がリール２に対して巻取方向αに押し戻される。こうして、リール２および爪車３が、逆止突起５１の一コマ分だけ繰出方向βに回転し、コード９が所定長さだけ繰り出される。さらにコード９を繰り出したい場合には、リング４を繰出方向βに回転させてからコード９を引っ張る動作を繰り返す。なお、リング４はボディ１の鍔部１３より径が小さいので、草刈り作業中にリング４を壁などにぶつける可能性は小さいこと、また、本体１００の動作中は、コード９に働く遠心力により爪車３が動きにくくなることから、草刈り作業中に、リング４が意図せず繰出方向βに回転してコード９が繰り出されることはない。
【００１９】
このように、本発明の草刈機によれば、コードの繰り出しを、叩き出しとリールの手動回転の両方式により行うことができる。叩き出し方式によれば、草刈り作業を中断することなく、コードを繰り出すことができるので、作業効率がよい。そして、手動回転方式によれば、手動で自在にコードの繰り出しおよび巻き取りが可能であり、コードが絡まった場合にも、本体を分解などする必要はなく、修正しやすい。
【００２０】
本発明は、上記の実施形態に限定されない。コードの繰り出しおよび巻き取りに関する部分について、必要な要件を満たし同様の作用効果を奏するものであれば、各部の形状や構造は適宜変更可能であるし、それ以外の部分について、一部を省いたり、別の機能を追加したりしたものであってもよい。
【符号の説明】
【００２１】
１  ボディ
２  リール
３  爪車
４  リング
５  上部キャップ
６  コイルバネ
９  コード
１１  柱部
３１  送り爪
４１  解除突起
５１  逆止突起
【図１】
0006047115.tif 000002
【図２】
0006047115.tif 000003
【図３】
0006047115.tif 000004
【図４】
0006047115.tif 000005
【図５】
0006047115.tif 000006
【図６】
0006047115.tif 000007
【図７】
0006047115.tif 000008
【図８】
0006047115.tif 000009
【図９】
0006047115.tif 000010